(57)【特許請求の範囲】
【請求項１】
ネットワークと、該ネットワーク上の複数の管理対象装置を管理するネットワーク管理システム１と、前記管理対象装置のアラーム情報を代替して管理する代替用ネットワーク管理システム２とを備え、
前記管理対象装置からのアラームが大量に発生してアラーム処理の輻輳が発生した時に、輻輳している管理対象装置からの前記アラーム情報を前記代替用ネットワーク管理システム２にて監視する手段を有するネットワーク管理システムにおけるアラーム処理輻輳時負荷分散システムであって、
前記ネットワーク管理システム１は、
前記管理対象装置で発生したアラーム情報を受信するアラーム受信部１３と、
予めアラームが輻輳する可能性のある前記管理対象装置の情報とアラーム輻輳の判断基準とを定義しておくアラーム処理情報設定部１５と、
前記アラーム情報の内容を解析しアラーム情報蓄積部１１に蓄積し、予め定義された前記アラーム処理情報設定部１５の内容を参照し、設定内容に合致したアラームが発生した場合、代替切替指示部１６に輻輳アラーム情報の切替監視の要求を出すアラーム情報解析部１２と、
該アラーム情報解析部１２で解析された前記アラーム情報の内容を蓄積し、又、代替中発生アラームマージ処理部１４で前記アラーム情報と代替監視中のアラーム情報とがマージされたマージ情報を蓄積するアラーム情報蓄積部１１と、
代替切替情報制御部１７に輻輳アラーム情報の切替監視の要求を出す代替切替指示部１６と、
イーサネットを経由して、前記代替用ネットワーク管理システム２に対して切替の制御を実施し、アラームが輻輳している前記管理対象装置に対して、前記アラーム情報の送信先のIPアドレスを前記ネットワーク管理システム１から前記代替用ネットワーク管理システム２に切り替えるように指示を出し、又、前記代替用ネットワーク管理システム２において前記アラーム情報の代替監視を停止する場合、代替監視中のアラーム情報を受信し代替中発生アラームマージ処理部１４へ送る代替切替情報制御部１７と、
代替監視中のアラーム情報と、前記アラーム情報蓄積部１１に蓄積されている前記アラーム情報とのマージを実施し、前記アラーム情報蓄積部１１に蓄積する代替中発生アラームマージ処理部１４とを備え、
前記代替用ネットワーク管理システム２は、
輻輳アラーム情報の代替監視の指示を受信すると、指定された前記アラーム情報のみを受信し、アラーム情報蓄積部２１に蓄積するアラーム受信部２２と、
指定された前記アラーム情報を蓄積するアラーム情報蓄積部２１と、
アラーム情報の代替監視を停止する場合、代替切替情報制御部２５に対し代替監視の停止要求を出す代替切替指示部２４と、
代替中発生アラームマージ処理部２３へ、代替監視中に受信したアラーム情報を取得するよう要求し、取得した前記アラーム情報を前記ネットワーク管理システム１に送信し、又、前記代替用ネットワーク管理システム２で監視していた前記管理対象装置に対して、アラーム情報の送信先IPアドレスを前記代替用ネットワーク管理システム２から前記ネットワーク管理システム１に切り替えるように指示を出す代替切替情報制御部２５と、
代替監視中に受信したアラーム情報を前記アラーム情報蓄積部２１から取得し、前記代替切替情報制御部２５に送る代替中発生アラームマージ処理部２３とを備えた、
ネットワーク管理システムにおけるアラーム処理輻輳時負荷分散システム。
【請求項２】
前記管理対象装置からのアラームが大量に発生してアラーム処理の輻輳が発生した時に、輻輳している管理対象装置からの前記アラーム情報を前記代替用ネットワーク管理システム２にて監視する段階を有する請求項１に記載のネットワーク管理システムにおけるアラーム処理輻輳時負荷分散システムのアラーム処理輻輳時負荷分散方法であって、
前記ネットワーク管理システム１にて管理している前記管理対象装置に障害が発生すると、発生したアラームがアラーム輻輳時の代替監視切替対象の管理対象装置かどうかアラーム情報解析部１２が判断する段階と、
アラーム輻輳時の代替監視切替対象の管理対象装置でない場合、通常の運用を続ける段階と、
アラーム輻輳時の代替監視切替対象の管理対象装置の場合、アラーム発生頻度が規定値を上回っているかどうかアラーム情報解析部１２が判断する段階と、
前記アラーム発生頻度が前記規定値を上回っていない場合、通常の運用を続ける段階と、
前記アラーム発生頻度が前記規定値を上回っている場合、アラーム情報解析部１２が代替切替指示部１６に代替切替の指示を出し、代替切替指示部１６が代替切替情報制御部１７に代替切替の指示を出す段階と、
代替切替情報を代替用ネットワーク管理システムに代替切替情報制御部１７が転送する段階と、
前記代替監視切替対象の管理対象装置に対して、アラーム情報送信先のIPアドレスをネットワーク管理システム１から代替用ネットワーク管理システム２に切り替えるように代替切替情報制御部１７が指示を出す段階と、
前記代替用ネットワーク管理システム２で、転送されてきた前記代替切替情報を元に、前記代替監視切替対象の管理対象装置のアラーム受信処理をアラーム受信部２２が開始する段階と、
アラームの代替監視を終了する場合、代替切替指示部２４が代替切替情報制御部２５に対し代替監視の停止要求を出す段階と、
代替切替情報制御部２５が代替中発生アラームマージ処理部２３へ、代替監視中に受信したアラーム情報を取得するよう要求し、取得した前記アラーム情報を前記ネットワーク管理システム１に送信し、又、前記代替用ネットワーク管理システム２で監視していた前記管理対象装置に対して、アラーム情報送信先のIPアドレスを前記代替用ネットワーク管理システム２から前記ネットワーク管理システム１に切り替えるように指示を出す段階と、
代替監視中に前記代替用ネットワーク管理システム２にて受信していたアラーム情報を、元の前記ネットワーク管理システム１のアラーム情報とマージする処理を代替中発生アラームマージ処理部１４が実施する段階と、
元の前記ネットワーク管理システム１にて全ての管理対象装置のアラーム監視を再び行う段階とを有する、
ネットワーク管理システムにおけるアラーム処理輻輳時負荷分散システムのアラーム処理輻輳時負荷分散方法。
【発明の詳細な説明】
【０００１】
【発明の属する技術分野】
本発明は、ネットワーク管理システムにおけるアラーム処理輻輳時負荷分散システム及びそのアラーム処理輻輳時負荷分散方法に関する。
【０００２】
【従来の技術】
従来、この種のネットワーク管理システムは、例えば特開平９−２１４４９４号公報に示されるように、管理対象装置からの情報が輻輳して、ネットワーク管理システムの処理能力を越えるような場合は、管理対象装置からの情報を抑止するようにして輻輳状態を回避するよう構成されている。
【０００３】
【発明が解決しようとする課題】
しかし、上述の従来技術には、次のような問題点があった。
【０００４】
その問題点は、管理対象の全ての情報を受信できないということである。その理由は、輻輳した情報を抑止して受信しないようにするためである。
【０００５】
本発明の目的は、アラーム処理能力を越えるようなアラームが発生した場合に、負荷を分散する、ネットワーク管理システムにおけるアラーム処理輻輳時負荷分散システム及びそのアラーム処理輻輳時負荷分散方法を提供することにある。
【０００６】
【課題を解決するための手段】
本発明のネットワーク管理システムにおけるアラーム処理輻輳時負荷分散システムは、
ネットワークと、ネットワーク上の複数の管理対象装置を管理するネットワーク管理システムと、管理対象装置のアラーム情報を代替して管理する代替用ネットワーク管理システムとを備え、管理対象装置からのアラームが大量に発生してアラーム処理の輻輳が発生した時に、輻輳している管理対象装置からのアラーム情報を代替用ネットワーク管理システムにて監視する手段を有する。
【０００７】
又、ネットワーク管理システムは、管理対象装置で発生したアラーム情報を受信するアラーム受信部と、予めアラームが輻輳する可能性のある管理対象装置の情報とアラーム輻輳の判断基準とを定義しておくアラーム処理情報設定部と、アラーム情報の内容を解析しアラーム情報蓄積部に蓄積し、予め定義されたアラーム処理情報設定部の内容を参照し、設定内容に合致したアラームが発生した場合、代替切替指示部に輻輳アラーム情報の切替監視の要求を出すアラーム情報解析部と、アラーム情報解析部で解析されたアラーム情報の内容を蓄積し、又、代替中発生アラームマージ処理部でアラーム情報と代替監視中のアラーム情報とがマージされたマージ情報を蓄積するアラーム情報蓄積部と、代替切替情報制御部に輻輳アラーム情報の切替監視の要求を出す代替切替指示部と、イーサネットを経由して、代替用ネットワーク管理システムに対して切替の制御を実施し、アラームが輻輳している管理対象装置に対して、アラーム情報の送信先のIPアドレスをネットワーク管理システムから代替用ネットワーク管理システムに切り替えるように指示を出し、又、代替用ネットワーク管理システムにおいてアラーム情報の代替監視を停止する場合、代替監視中のアラーム情報を受信し代替中発生アラームマージ処理部へ送る代替切替情報制御部と、代替監視中のアラーム情報と、アラーム情報蓄積部に蓄積されているアラーム情報とのマージを実施し、アラーム情報蓄積部に蓄積する代替中発生アラームマージ処理部とを備えていてもよい。
【０００８】
又、代替用ネットワーク管理システムは、輻輳アラーム情報の代替監視の指示を受信すると、指定されたアラーム情報のみを受信し、アラーム情報蓄積部に蓄積するアラーム受信部と、指定された前記アラーム情報を蓄積するアラーム情報蓄積部と、アラーム情報の代替監視を停止する場合、代替切替情報制御部に対し代替監視の停止要求を出す代替切替指示部と、代替中発生アラームマージ処理部へ、代替監視中に受信したアラーム情報を取得するよう要求し、取得したアラーム情報をネットワーク管理システムに送信し、又、代替用ネットワーク管理システムで監視していた管理対象装置に対して、アラーム情報の送信先IPアドレスを代替用ネットワーク管理システムからネットワーク管理システムに切り替えるように指示を出す代替切替情報制御部と、代替監視中に受信したアラーム情報をアラーム情報蓄積部から取得し、代替切替情報制御部に送る代替中発生アラームマージ処理部とを備えていてもよい。
【０００９】
本発明のネットワーク管理システムにおけるアラーム処理輻輳時負荷分散システムのアラーム処理輻輳時負荷分散方法は、
管理対象装置からのアラームが大量に発生してアラーム処理の輻輳が発生した時に、輻輳している管理対象装置からのアラーム情報を代替用ネットワーク管理システムにて監視する段階を有する。
【００１０】
又、ネットワーク管理システムにて管理している管理対象装置に障害が発生すると、発生したアラームがアラーム輻輳時の代替監視切替対象の管理対象装置かどうか判断する段階と、アラーム輻輳時の代替監視切替対象の管理対象装置でない場合、通常の運用を続ける段階と、アラーム輻輳時の代替監視切替対象の管理対象装置の場合、アラーム発生頻度が規定値を上回っているかどうか判断する段階と、アラーム発生頻度が規定値を上回っていない場合、通常の運用を続ける段階と、アラーム発生頻度が規定値を上回っている場合、代替切替の指示を出す段階と、代替切替情報を代替用ネットワーク管理システムに転送する段階と、代替監視切替対象の管理対象装置に対して、アラーム情報送信先のIPアドレスをネットワーク管理システムから代替用ネットワーク管理システムに切り替えるように指示を出す段階と、代替用ネットワーク管理システムで、転送されてきた代替切替情報を元に、代替監視切替対象の管理対象装置のアラーム受信処理を開始する段階と、アラームの代替監視を終了するかどうか判断する段階と、アラームの代替監視を終了するように指示された場合、代替監視の解除を行う段階と、管理対象装置に対して、アラーム情報送信先のIPアドレスを代替用ネットワーク管理システムからネットワーク管理システムに切り替えるように指示を出す段階と、代替監視中に代替用ネットワーク管理システムにて受信していたアラーム情報を、元のネットワーク管理システムのアラーム情報とマージする処理を実施する段階と、元のネットワーク管理システムにて全ての管理対象装置のアラーム監視を再び行う段階とを有してもよい。
【００１１】
本発明は、ネットワークの障害状態を監視するネットワーク管理システムにおいて、特定の監視対象装置からアラームが大量に発生して輻輳状態が発生した時に、代替マシンにおいてその特定のアラームのみを監視するように切り替える事で、アラーム処理輻輳時の負荷が分散できる構成を提供するものである。
【００１２】
ネットワークと複数の管理対象装置を管理するネットワーク管理システムと、管理対象装置のアラーム情報を代替して管理する代替用ネットワーク管理システムとを備え、管理対象装置からのアラームが大量に発生してアラーム処理の輻輳が発生した時に、輻輳している管理対象装置からのアラーム情報を代替用ネットワーク管理システムにて監視できるようにする。
【００１３】
このようにして、ネットワーク管理システムにおけるアラーム処理輻輳時負荷分散方法を可能にする。
【００１４】
【発明の実施の形態】
図１は、ネットワーク管理システムにおけるアラーム処理輻輳時負荷分散システムの実施の形態を示す。
【００１５】
図１において、ネットワーク管理システム１は、管理対象装置A５０a、管理対象装置B５０b、………、管理対象装置ｎ５０nで発生したアラーム情報を、アラーム受信部１３にて受信し、アラーム情報解析部１２にてアラーム内容を解析し、アラーム情報蓄積部１１に蓄積する。アラーム処理情報設定部１５は、予めアラームが輻輳する可能性のある管理対象装置の情報（装置名称、IPアドレス等）、アラーム輻輳の判断基準等を定義しておく。アラーム情報解析部１２では、予め定義されたアラーム処理情報設定部１５の内容を参照し、設定内容に合致したアラームが発生した場合、代替切替指示部１６に輻輳アラーム情報の切替監視の要求を出し、代替切替指示部１６は代替切替情報制御部１７に輻輳アラーム情報の切替監視の要求を出し、代替切替情報制御部１７よりイーサネット３１を経由して、代替用ネットワーク管理システム２に対して切替の制御を実施する。この時、アラームが輻輳している管理対象装置に対して、アラーム情報の送信先のIPアドレスをネットワーク管理システム１から代替用ネットワーク管理システム２に切り替えるように指示を出す。代替用ネットワーク管理システム２では、輻輳アラーム情報の代替監視の指示を受信すると、指定されたアラーム情報のみを、アラーム受信部２２で受信し、アラーム情報蓄積部２１に蓄積する。
【００１６】
代替用ネットワーク管理システム２において、アラーム情報の代替監視を停止する場合、代替切替指示部２４から代替切替情報制御部２５に対し代替監視の停止要求を出す事により、代替中発生アラームマージ処理部２３へ、代替監視中に受信したアラーム情報を取得するよう要求し、アラーム情報蓄積部２１から受信したアラーム情報を取得し、ネットワーク管理システム１に送信する。その後、代替用ネットワーク管理システム２で監視していた管理対象装置に対して、アラーム情報の送信先IPアドレスを代替用ネットワーク管理システム２からネットワーク管理システム１に切り替えるように指示を出す。ネットワーク管理システム１では、受信したアラーム情報を代替切替情報制御部１７を介して、代替中発生アラームマージ処理部１４にて、アラーム情報蓄積部１１に蓄積されているアラーム情報とのマージを実施する。
【００１７】
次に、図２のフローチャートを参照して本実施の形態の全体の動作について詳細に説明する。
【００１８】
まず、ネットワーク管理システムにて管理している管理対象装置に障害が発生（ステップ１）すると、ステップ２にて発生したアラームがアラーム輻輳時の代替監視切替対象の管理対象装置かどうか判断する。アラーム輻輳時の代替監視切替対象の管理対象装置でない場合、通常の運用を続ける（ステップ３）。アラーム輻輳時の代替監視切替対象の管理対象装置の場合、更にステップ４にてアラーム発生頻度が規定値を上回っているかどうか判断する。アラーム発生頻度が規定値を上回っていない場合、通常の運用を続ける（ステップ３）。アラーム発生頻度が規定値を上回っている場合、ステップ５にて代替切替の指示を出し、ステップ６にて代替切替情報を代替用ネットワーク管理システムに転送する。次に代替監視切替対象の管理対象装置に対して、アラーム情報送信先のIPアドレスをネットワーク管理システムから代替用ネットワーク管理システムに切り替えるように指示を出す（ステップ７）。ステップ８にて代替用ネットワーク管理システムで、転送されてきた代替切替情報を元に、代替監視切替対象の管理対象装置のアラーム受信処理を開始する。この時、元のネットワーク管理システムでは代替監視切替対象の管理対象装置から上がってくる一切のアラームの監視は停止される。ステップ９にて代替用ネットワーク管理システムを使用しているオペレータがアラームの代替監視を終了するかどうか判断する。オペレータによりアラームの代替監視を終了するように指示された場合、ステップ１０にて代替監視の解除が行わる。ステップ１１にて管理対象装置に対して、アラーム情報送信先のIPアドレスを代替用ネットワーク管理システムからネットワーク管理システムに切り替えるように指示を出す。また、ステップ１２にて代替監視中に代替用ネットワーク管理システムにて受信していたアラーム情報を、元のネットワーク管理システムのアラーム情報とマージする処理を実施し、元のネットワーク管理システムにて全ての管理対象のアラーム監視が行われるようになる。
【００１９】
【発明の効果】
以上説明したように、本発明には以下の効果がある。
【００２０】
第１の効果は、ネットワーク管理システムで管理している管理対象装置から、ネットワーク管理システムのアラーム処理能力を越えるようなアラームが発生した場合に、負荷を分散できることにある。
【００２１】
その理由は、アラーム輻輳時に輻輳したアラームが発生している管理対象装置を単独で監視する専用のネットワーク管理システムを用意することで、アラームを分散して監視するためである。
【００２２】
第２の効果は、アラームが輻輳している管理対象装置に限定した監視が行える為、問題となっている管理対象装置の問題の追求、指示、復旧が迅速に行えることにある。
【００２３】
その理由は、アラーム輻輳時に輻輳したアラームが発生している管理対象装置を単独で監視する専用のネットワーク管理システムを用意するためである。
【図面の簡単な説明】
【図１】ネットワーク管理システムにおけるアラーム処理輻輳時負荷分散システムの実施の形態を示す図である。
【図２】ネットワーク管理システムにおけるアラーム処理輻輳時負荷分散システムのアラーム処理輻輳時負荷分散方法のフローチャートを示す図である。
【符号の説明】
１    ネットワーク管理システム
２    代替用ネットワーク管理システム
１１    アラーム情報蓄積部
１２    アラーム情報解析部
１３    アラーム受信部
１５    アラーム処理情報設定部
１６    代替切替指示部
１７    代替切替情報制御部
２１    アラーム情報蓄積部
２２    アラーム受信部
２３    代替中発生アラームマージ処理部
２４    代替切替指示部
２５    代替切替情報制御部
３１    イーサネット
５０a、５０b、………、５０n    管理対象装置A、管理対象装置B、………、管理対象装置ｎ
【図１】
0003866445.tif 000002
【図２】
0003866445.tif 000003